【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
第１端部、平面視で前記第１端部とは反対側の第２端部、前記第１端部の一端と前記第２端部の一端とを繋いでいる第３端部、および前記第１端部の他端と前記第２端部の他端とを繋いでいる第４端部を含む基部と、
前記基部の前記第１端部から、前記第２端部側とは反対側に、第１の方向に沿って延出しており、前記第３端部側から前記第４端部側に向かって順番に並んでいる第１の振動腕および第２の振動腕と、
を含み、
前記第１の振動腕は、前記基部から延出している第１の腕部、および前記第１の腕部の前記基部とは反対側に配置され前記第１の方向に交差する第２の方向に沿った幅が前記腕部よりも広い第１の質量部を含み、
前記第３端部は、平面視で、前記第１端部の前記一端と前記第２端部の前記一端とを繋いだ第１直線よりも、前記第２の方向に沿って一部が突出した形状であり、且つ、前記突出した一部の先端が、前記第１質量部の前記第３端部側の外縁から前記第１の方向に沿って引いた第１仮想線と前記第１直線との間にあることを特徴とする振動片。
【請求項２】
請求項１において、
前記第２の振動腕は、前記基部から延出している第２の腕部、および前記第２の腕部の前記基部とは反対側に配置され前記第２の方向に沿った幅が前記第２の腕部よりも広い第２の質量部を含み、
前記第４端部は、平面視で、前記第１端部の前記他端と前記第２端部の前記他端とを繋いだ第２直線よりも、前記第２の方向に沿って一部が突出した形状であり、且つ、前記第４端部の前記突出した一部の先端が、前記第２質量部の前記第４端部側の外縁から前記第１の方向に沿って引いた第２仮想線と前記第２直線との間にあることを特徴とする振動片。
【請求項３】
請求項１または請求項２において、
前記基部の前記第１端部における前記第１の振動腕と前記第２の振動腕との間から、前記第１方向に沿って延出されている保持部を含むことを特徴とする振動片。
【請求項４】
請求項１ないし請求項３のいずれか一項に記載の振動片と、
前記振動片が収容されている容器と、
を備えていることを特徴とする振動子。
【請求項５】
請求項１ないし請求項３のいずれか一項に記載の振動片と、
回路と、
を備えていることを特徴とする発振器。
【請求項６】
請求項１ないし請求項３のいずれか一項に記載の振動片を備えていることを特徴とする電子機器。
【請求項７】
請求項１ないし請求項３のいずれか一項に記載の振動片を備えていることを特徴とする移動体。
【請求項８】
第１端部、平面視で前記第１端部とは反対側の第２端部、前記第１端部の一端と前記第２端部の一端とを繋いでいる第３端部、および前記第１端部の他端と前記第２端部の他端とを繋いでいる第４端部を含む基部と、前記基部の前記第１端部から、前記第２端部側とは反対側に、第１の方向に沿って延出しており、前記第３端部側から前記第４端部側に向かって順番に並んでいる第１の振動腕および第２の振動腕と、を含み、前記第１の振動腕は、前記基部から延出している第１の腕部、および前記第１の腕部の前記基部とは反対側に配置され前記第１の方向に交差する第２の方向に沿った幅が前記腕部よりも広い第１の質量部を含み、前記第３端部は、平面視で、前記第１端部の前記一端と前記第２端部の前記一端とを繋いだ第１直線よりも、前記第２の方向に沿って一部が突出した形状であり、且つ、前記突出した一部の先端が、前記第１質量部の前記第３端部側の外縁から前記第１の方向に沿って引いた第１仮想線と前記第１直線との間にある振動片が、前記突出した一部を介して接続されている母材を用意する工程と、
前記突出した一部を折って、前記母材から前記振動片を分離する工程と、
を行うことを特徴とする振動片の製造方法。
【請求項９】
請求項８において、
前記第２の振動腕は、前記基部から延出している第２の腕部、および前記第２の腕部の前記基部とは反対側に配置され前記第２の方向に沿った幅が前記第２の腕部よりも広い第２の質量部を含み、前記第４端部は、平面視で、前記第１端部の前記他端と前記第２端部の前記他端とを繋いだ第２直線よりも、前記第２の方向に沿って一部が突出した形状であり、且つ、前記突出した一部の先端が、前記第２質量部の前記第４端部側の外縁から前記第１の方向に沿って引いた第２仮想線と前記第２直線との間にある前記振動片が、前記第４端部の前記突出した一部を介して接続されている前記母材を用意する工程と、
前記母材から前記振動片を分離する工程において、前記第４端部の前記突出した一部も折って分離することを特徴とする振動片の製造方法。
【手続補正２】
【補正対象書類名】明細書
【補正対象項目名】発明の名称
【補正方法】変更
【補正の内容】
【発明の名称】振動片、振動子、発振器、電子機器、移動体、および振動片の製造方法
【手続補正３】
【補正対象書類名】明細書
【補正対象項目名】００１１
【補正方法】変更
【補正の内容】
【００１１】
本発明は、上記の課題の少なくとも一部を解決するためになされたものであり、以下の形態または適用例として実現することが可能である。
本発明のある形態に係る振動片は、第１端部、平面視で前記第１端部とは反対側の第２端部、前記第１端部の一端と前記第２端部の一端とを繋いでいる第３端部、および前記第１端部の他端と前記第２端部の他端とを繋いでいる第４端部を含む基部と、前記基部の前記第１端部から、前記第２端部側とは反対側に、第１の方向に沿って延出しており、前記第３端部側から前記第４端部側に向かって順番に並んでいる第１の振動腕および第２の振動腕と、を含み、前記第１の振動腕は、前記基部から延出している第１の腕部、および前記第１の腕部の前記基部とは反対側に配置され前記第１の方向に交差する第２の方向に沿った幅が前記腕部よりも広い第１の質量部を含み、前記第３端部は、平面視で、前記第１端部の前記一端と前記第２端部の前記一端とを繋いだ第１直線よりも、前記第２の方向に沿って一部が突出した形状であり、且つ、前記突出した一部の先端が、前記第１質量部の前記第３端部側の外縁から前記第１の方向に沿って引いた第１仮想線と前記第１直線との間にあることを特徴とする。
本発明のある別の形態に係る振動片は、前記第２の振動腕は、前記基部から延出している第２の腕部、および前記第２の腕部の前記基部とは反対側に配置され前記第２の方向に沿った幅が前記第２の腕部よりも広い第２の質量部を含み、前記第４端部は、平面視で、前記第１端部の前記他端と前記第２端部の前記他端とを繋いだ第２直線よりも、前記第２の方向に沿って一部が突出した形状であり、且つ、前記第４端部の前記突出した一部の先端が、前記第２質量部の前記第４端部側の外縁から前記第１の方向に沿って引いた第２仮想線と前記第２直線との間にあることを特徴とする。
本発明のある別の形態に係る振動片は、前記基部の前記第１端部における前記第１の振動腕と前記第２の振動腕との間から、前記第１方向に沿って延出されている保持部を含むことを特徴とする。
本発明のある形態に係る振動子は、上記形態に係る振動片と、前記振動片が収容されている容器と、を備えていることを特徴とする。
本発明のある形態に係る発振器は、上記形態に係る振動片と、回路と、を備えていることを特徴とする。
本発明のある形態に係る電子機器は、上記形態に係る振動片を備えていることを特徴とする。
本発明のある形態に係る移動体は、上記形態に係る振動片を備えていることを特徴とする。
本発明のある形態に係る振動片の製造方法は、第１端部、平面視で前記第１端部とは反対側の第２端部、前記第１端部の一端と前記第２端部の一端とを繋いでいる第３端部、および前記第１端部の他端と前記第２端部の他端とを繋いでいる第４端部を含む基部と、前記基部の前記第１端部から、前記第２端部側とは反対側に、第１の方向に沿って延出しており、前記第３端部側から前記第４端部側に向かって順番に並んでいる第１の振動腕および第２の振動腕と、を含み、前記第１の振動腕は、前記基部から延出している第１の腕部、および前記第１の腕部の前記基部とは反対側に配置され前記第１の方向に交差する第２の方向に沿った幅が前記腕部よりも広い第１の質量部を含み、前記第３端部は、平面視で、前記第１端部の前記一端と前記第２端部の前記一端とを繋いだ第１直線よりも、前記第２の方向に沿って一部が突出した形状であり、且つ、前記突出した一部の先端が、前記第１質量部の前記第３端部側の外縁から前記第１の方向に沿って引いた第１仮想線と前記第１直線との間にある振動片が、前記突出した一部を介して接続されている母材を用意する工程と、
前記突出した一部を折って、前記母材から前記振動片を分離する工程と、
を行うことを特徴とする。
本発明の別のある形態に係る振動片の製造方法は、前記第２の振動腕は、前記基部から延出している第２の腕部、および前記第２の腕部の前記基部とは反対側に配置され前記第２の方向に沿った幅が前記第２の腕部よりも広い第２の質量部を含み、前記第４端部は、平面視で、前記第１端部の前記他端と前記第２端部の前記他端とを繋いだ第２直線よりも、前記第２の方向に沿って一部が突出した形状であり、且つ、前記突出した一部の先端が、前記第２質量部の前記第４端部側の外縁から前記第１の方向に沿って引いた第２仮想線と前記第２直線との間にある前記振動片が、前記第４端部の前記突出した一部を介して接続されている前記母材を用意する工程と、
前記母材から前記振動片を分離する工程において、前記第４端部の前記突出した一部も折って分離することを特徴とする。